(57)【特許請求の範囲】
【請求項１】
竿体を連結する際の構造であって、
穂先側ほど小径に形成された筒状部材であり、穂先側端部外周面に穂先側ほど小径化する他の部分に比べて大きなテーパが形成された第１テーパ面を有する第１竿体と、
穂先側ほど小径に形成された筒状部材であり、竿元側端部外周面に軸方向に平行に形成された第１ストレート面を有する第２竿体と、
前記第１竿体の穂先側及び前記第２竿体の竿元側にそれぞれ両端が挿入される芯材と、
前記第１竿体の穂先側端部と前記第２竿体の竿元側端部と前記芯材との外周に配置され、内周面に前記第１テーパ面と嵌合する第２テーパ面及び前記第１ストレート面に嵌合する第２ストレート面とを有するパイプ部材とを備え、
竿体連結時において、前記第１竿体と前記第２竿体との間には間隔が設けられ、前記芯材によって連結されている
ことを特徴とする竿体の連結構造。
【請求項２】
竿体を連結する際の構造であって、
穂先側ほど小径に形成された筒状部材であり、穂先側端部内周面に軸方向に平行に形成された第１ストレート面を有する第１竿体と、
穂先側ほど小径に形成された筒状部材であり、竿元側端部内周面に穂先側ほど小径化する他の部分に比べて大きなテーパが形成された第１テーパ面を有する第２竿体と、
竿元側端部外周面に前記第１ストレート面に嵌合する第２ストレート面を有し、穂先側端部外周面に前記第１テーパ面に嵌合する第２テーパ面を有する芯材とを備え、
竿体連結時において、前記第１竿体と前記第２竿体との間には間隔が設けられ、前記芯材によって連結されている
ことを特徴とする竿体の連結構造。
【発明の詳細な説明】
【０００１】
【発明の属する技術分野】
本発明は、複数の竿体を連結してなる釣竿を構成する竿体における、竿体同士の連結構造に関する。
【０００２】
【従来の技術】
従来の並継形式で連結される釣竿は、穂先側端部に嵌合雌部を有する第１竿体と、竿元側端部に嵌合雄部を有し第１竿体の穂先側に連結される第２竿体とを有している。そして、第１竿体の嵌合雌部に第２竿体の嵌合雄部を挿入し嵌合して一本の釣竿として用いることになる。
【０００３】
このような竿体の嵌合構造としては、「ストレート合わせ」と呼ばれる構造と、「テーパ合わせ」と呼ばれる構造とが知られている。
「ストレート合わせ」とは、嵌合雌部の内周面と嵌合雄部の外周面とをそれぞれ竿体の軸方向に平行に調節し、両者を嵌合させて固定するものである。このような連結構造では、比較的高い嵌合力を得られるが、嵌合雄部と嵌合雌部との微調整が必要であり加工が煩雑である。また、長期にわたって嵌合を繰り返し嵌合面が摩耗することで嵌合力の低下が大きくなる恐れがある。
【０００４】
一方、「テーパ合わせ」とは、嵌合雌部の内周面と嵌合雄部の外周面とにそれぞれ軸方向にかけて径が変化するようにテーパを付し、両者を嵌合させて固定するものである。このような連結構造では、比較的嵌合力は劣ることになるが、嵌合雄部と嵌合雌部との過度の微調整を施さなくても嵌合固定可能であり加工が容易になる。また、竿体が重複することになる連結部分の軸方向への剛性の変化をなだらかにすることができ、竿の調子が連結部分で低下し難い。
【０００５】
【発明が解決しようとする課題】
上述のように、従来の嵌合構造はそれぞれ短所を有するものであり、何れも改善の余地がある。
本発明の課題は、さらに優れた竿体の嵌合構造を提供することにある。
【００１１】
【課題を解決するための手段】
発明１に係る竿体の連結構造は、竿体を連結する際の構造であって、穂先側ほど小径に形成された筒状部材であり、穂先側端部外周面に穂先側ほど小径化する他の部分に比べて大きなテーパが形成された第１テーパ面を有する第１竿体と、穂先側ほど小径に形成された筒状部材であり、竿元側端部外周面に軸方向に平行に形成された第１ストレート面を有する第２竿体と、第１竿体の穂先側及び第２竿体の竿元側にそれぞれ両端が挿入される芯材と、第１竿体の穂先側端部と第２竿体の竿元側端部と芯材との外周に配置され、内周面に第１テーパ面と嵌合する第２テーパ面及び第１ストレート面に嵌合する第２ストレート面を有するパイプ部材とを備え、竿体連結時において、前記第１竿体と前記第２竿体との間には間隔が設けられ、前記芯材によって連結されている。
【００１２】
この構造は、いわゆる「インロー継ぎ」に関する連結構造であり、第１竿体と第２竿体とは芯材によって連結されている。その上で、パイプ部材と第１竿体とが第１テーパ面と第２テーパ面とで嵌合され、パイプ部材と第２竿体とが第１ストレート面と第２ストレート面とで嵌合される。このように、第１テーパ面と第２テーパ面とが嵌合することで、第１竿体とパイプ部材との十分な嵌合を担保し、それらの径が摩耗等によって微妙に変化しても嵌合力が著しく低下するの抑える。
【００１３】
一方で、第１ストレート面と第２ストレート面との嵌合によって、第２竿体とパイプ部材との嵌合力の向上を担保する。
発明２に係る連結構造は、竿体を連結する際の構造であって、穂先側ほど小径に形成された筒状部材であり、穂先側端部内周面に軸方向に平行に形成された第１ストレート面を有する第１竿体と、穂先側ほど小径に形成された筒状部材であり、竿元側端部内周面に穂先側ほど小径化する他の部分に比べて大きなテーパが形成された第１テーパ面を有する第２竿体と、竿元側端部外周面に第１ストレート面に嵌合する第２ストレート面を有し、穂先側端部外周面に第１テーパ面に嵌合する第２テーパ面を有する芯材とを備え竿体連結時において、前記第１竿体と前記第２竿体との間には間隔が設けられ、前記芯材によって連結されている。
【００１４】
この構造も、いわゆる「インロー継ぎ」に関する連結構造であり、第１竿体と第２竿体とは芯材によって連結されている。そして、第１ストレート面と第２ストレート面とが嵌合することで、第１竿体と芯材との嵌合力の向上を担保する。一方で、第１テーパ面と第２テーパ面との嵌合によって、第２竿体と芯材との十分な嵌合を担保し、それらの径が摩耗等によって微妙に変化しても嵌合力が著しく低下するの抑える。
【００１５】
【発明の実施の形態】
［第１実施形態］
以下、本発明の第１実施形態について図面を参照しつつ説明する。
図１に示すように、本発明の第１実施形態を採用した釣竿は、第１竿体１と、第１竿体の穂先側に並継形式に連結された第２竿体２と、第２竿体２の穂先側に連結される穂先竿３とを有している。第１竿体１〜穂先竿３はそれぞれ炭素繊維等の強化繊維に合成樹脂を含浸させたプリプレグをマンドレルに巻回し焼成して得られる先細り筒状部材である。第１竿体１は、竿元側端部に配置される竿元グリップ４と、竿元グリップ４の穂先側に配置された前グリップ６と、竿元グリップ４と前グリップ６との間に配置されリール７を装着可能なリールシート５とを有している。また、第１竿体１〜穂先竿３の外周面には複数の釣糸ガイド８が設けられている。
【００１６】
図２に詳しく示すように、第１竿体１は穂先側に向かって全体として徐々に小径化するようなテーパが施された先細り筒状部材である。この第１竿体全体のテーパは１／１０００〜５／１０００程度に設定されている。そして、穂先側端部内周面は嵌合雌部１０となっている。この嵌合雌部１０は、第１竿体１の穂先側端面から竿元側にかけて小径化する第１テーパ面10aと、第１テーパ面10aの竿元側に連続して形成され第１竿体１の軸方向に平行に形成された第１ストレート面10bとを有している。第１テーパ面10aの軸方向長さは第１竿体１の竿元側径の１．５〜５倍程度にわたって形成され、そのテーパは１／１０００〜５／１０００程度に設定されている。一方の第１ストレート面10bの軸方向も、第１テーパ面１ａと同様に第１竿体１の竿元側径の１．５〜５倍程度にわたって形成されている。
【００１７】
また、第２竿体２も穂先側に向かって全体として徐々に小径化する様なテーパが施された先細り筒状部材である。そして、竿元側端部外周面は嵌合雄部１１となっている。この嵌合雄部１１は、竿元側端面より穂先側に形成され第２竿体２の軸方向に平行に形成された第２ストレート面11bと、第２ストレート面11bの穂先側に連続して形成され穂先側にかけて大径化する第２テーパ面11aとを有している。この第２テーパ面11aは第１竿体１の第１テーパ面10aに嵌合し、第２ストレート面1１ｂは第１竿体１の第１ストレート面10bに嵌合する。
【００１８】
このように構成された釣竿では、第１ストレート面10bと第２ストレート面11bとが嵌合することで、第１竿体１と第２竿体２との十分な嵌合力を担保する。一方で、第１テーパ面10aと第２テーパ面11aとの嵌合が、比較的径の精密度を要求することなく適度な嵌合力を演出し、第１竿体１及び第２竿体２が摩耗し径が微妙に変化しても嵌合力が著しく低下するの抑える。
【００１９】
さらに、第１竿体１と第２竿体２とが重複することになる部分における軸方向への剛性の変化を極力なだらかにすることができ、竿調子の低下を防止できる。また、第１竿体１の穂先側端面付近内周に竿元側方向へ小径化する第１テーパ面10aが設けられていることで、第２竿体２の嵌合雄部１１を第１竿体１の嵌合雌部１０へ挿入し易い。
【００２０】
［第２実施形態］
以下、本発明の第２実施形態について図面を参照しつつ説明する。
図３に示すように、本発明の第２実施形態を採用した第１竿体１は穂先側に向かって全体として徐々に小径化するようなテーパが施された先細り筒状部材である。そして、穂先側端部内周面は嵌合雌部２０となっている。この嵌合雌部２０は、第１竿体１の穂先側端面から竿元側にかけて第１竿体１の軸方向に平行に形成された第１ストレート面20aと、第１ストレート面20aの竿元側に連続して形成され竿元側ほど小径化する第１テーパ面20bとを有している。第１テーパ面20ｂは軸方向においておよそ第１竿体１の竿元側径の１．５〜５倍程度にわたって形成され、そのテーパは１／１０００〜５／１０００程度に設定されている。一方の第１ストレート面20a は軸方向において第１竿体１の竿元側径の１．５〜５倍程度にわたって形成されている。
【００２１】
また、第２竿体２も穂先側に向かって全体として徐々に小径化する様なテーパが施された先細り筒状部材である。そして、竿元側端部外周面は嵌合雄部2１となっている。この嵌合雄部2１は、竿元側端面より穂先側に形成され穂先側にかけて大径化する第２テーパ面21bと、第２テーパ面21bの穂先側に連続して形成され第２竿体２の軸方向に平行に形成された第２ストレート面21aとを有している。この第２テーパ面21bは第１竿体１の第１テーパ面20bに嵌合し、第２ストレート面21a は第１竿体１の第１ストレート面20a に嵌合する。
【００２２】
このように構成された釣竿では、第１ストレート面20a と第２ストレート面21a とが嵌合することで、第１竿体１と第２竿体２との十分な嵌合力を担保する。一方で、第１テーパ面20b と第２テーパ面21b との嵌合が、比較的径の精密度を要求することなく適度な嵌合力を演出し、第１竿体１及び第２竿体２が摩耗し径が微妙に変化しても嵌合力が著しく低下するの抑える。
【００２３】
［第３実施形態］以下、本発明の第３実施形態について図面を参照しつつ説明する。図４に示すように、本発明の第３実施形態を採用した第１竿体１及び第２竿体２は穂先側に向かって全体として徐々に小径化するようなテーパが施された先細り筒状部材である。この第１竿体１と第２竿体２の連結部分には芯材であるインロー芯３０とパイプ部材３１が配置されており、いわゆるインロー継ぎで連結されている。
【００２４】
インロー芯３０は各竿体と同様に炭素繊維等の強化繊維に合成樹脂を含浸させたプリプレグから形成されるやや先細り筒状部材であって、第１竿体１の穂先側内径及び第２竿体２の竿元側内径にその外径が合致ししている。そして、インロー芯３０の竿元側から軸方向中心付近までが第１竿体１の穂先側に挿入され接着剤等で固定され、インロー芯３０の穂先側から軸方向中心付近まで第２竿体２の竿元側に脱着自在に挿入される。なお、第１竿体１の穂先側端面と第２竿体２の竿元側端面とは連結時においても接触することなく、その間には間隔が設けられている。
【００２５】
また、第１竿体１の穂先側部分外周面は嵌合雄部となっており、第１竿体１の穂先側端面から竿元側ほど大径化するような第１テーパ面１ａとなっている。一方、第２竿体２の竿元側部分外周面も嵌合雄部となっており、第２竿体２の軸方向に平行に形成された第１ストレート面２ａとなっている。
パイプ部材３１は合成樹脂または金属製の部材である。竿元側内周面は第１竿体１の第１テーパ面１ａに合致する第２テーパ面３１ａが形成され、穂先側内周面は第２竿体２の第１ストレート面２ａに合致する第２ストレート面３１ｂとなっている。そして、パイプ部材３１は第１竿体１〜第２竿体２が挿入された状態で所定の位置に配置される。
【００２６】
このように構成された釣竿では、第１竿体１と第２竿体２とがインロー芯３０によって連結される。さらに、パイプ部材３１と第１竿体１とが第１テーパ面１ａと第２テーパ面３１ａとで嵌合され、パイプ部材３１と第２竿体２とが第１ストレート面２ａと第２ストレート面３１ｂとで嵌合される。このように、第１テーパ面１ａと第２テーパ面３１ａとが嵌合することで、第１竿体１とパイプ部材３１との十分な嵌合が担保され、それらの径が摩耗等によって微妙に変化しても嵌合力が著しく低下するの抑える。一方で、第１ストレート面２ａと第２ストレート面３１ｂとの嵌合によって、第２竿体２とパイプ部材３１との嵌合力の向上を担保する。
【００２７】
［第４実施形態］以下、本発明の第４実施形態について図面を参照しつつ説明する。図５に示すように、本発明の第４実施形態を採用した第１竿体１及び第２竿体２は穂先側に向かって全体として徐々に小径化するようなテーパが施された先細り筒状部材である。この第１竿体１と第２竿体２の連結部分には芯材であるインロー芯４０とパイプ部材４１が配置されており、いわゆるインロー継ぎで連結されている。
【００２８】
第１竿体１は穂先側に向かって全体として徐々に小径化する先細り筒状部材である。第１竿体１の穂先側内周面は、第１竿体１の軸方向に平行なストレート面１ａとなっている。一方、第２竿体２の竿元側端部内周面は他の部分に比べて大きなテーパが施された穂先側ほど小径化する第１テーパ面２ａとなっている。
インロー芯４０は各竿体と同様に炭素繊維等の強化繊維に合成樹脂を含浸させたプリプレグから形成されるやや先細り筒状部材であって、竿元側外周面はインロー芯４０の軸方向に平行な第２ストレート面４０ａとなっている。また、穂先側外周面は穂先側ほど小径化するようなテーパが施された第２テーパ面４０ｂとなっている。そして、インロー芯４０の竿元側から軸方向中心付近までが第１竿体１の穂先側に挿入され接着剤等で固定され、インロー芯４０の穂先側から軸方向中心付近まで第２竿体２の竿元側に脱着自在に挿入される。
【００２９】
また、パイプ部材４１は合成樹脂または金属製の部材であり、第１竿体１〜第２竿体２が挿入された状態で所定の位置に配置される。このように構成された釣竿では、第１竿体１と第２竿体２とは芯材４０によって連結されている。そして、第１ストレート面１ａと第２ストレート面４０ａとを嵌合後、接着剤で固定することで、第１竿体と芯材４０との嵌合力の向上を担保する。一方で、第１テーパ面２ａと第２テーパ面４０ｂとの嵌合によって、第２竿体２とインロー芯４０との十分な嵌合を担保し、それらの径が摩耗等によって微妙に変化しても嵌合力が著しく低下するのを抑える。
【００３０】
【発明の効果】
本発明にかかる構造によれば、優れた竿体同士の連結構造が提供できる。
【図面の簡単な説明】
【図１】本発明の第１実施形態を採用した釣竿の全体図。
【図２】図１の第１竿体１と第２竿体２との連結部分の拡大断面図。
【図３】第２実施形態を採用した釣竿の第１竿体１と第２竿体２との連結部分の拡大断面図。
【図４】第３実施形態を採用した釣竿の第１竿体１と第２竿体２との連結部分の拡大断面図。
【図５】第４実施形態を採用した釣竿の第１竿体１と第２竿体との連結部分の拡大断面図。
【符号の説明】
１ 第１竿体
２ 第２竿体
３０，４０ インロー芯（芯材）
３１，４１ パイプ部材
【図１】
0004353385.tif 000002
【図２】
0004353385.tif 000003
【図３】
0004353385.tif 000004
【図４】
0004353385.tif 000005
【図５】
0004353385.tif 000006